(57)【特許請求の範囲】
【請求項１】
ドライバユニットと、
前記ドライバユニットを収納するハウジングと、
前記ハウジングの内部の空間のうち、前記ドライバユニットの前方の空間と、前記ドライバユニットの後方の空間と、を連通させる第１連通孔と、
を有し、
前記第１連通孔は、前記ドライバユニットが備える振動板を保持する振動板保持体により開閉される、
ことを特徴とするイヤホン。
【請求項２】
前記ドライバユニットは、
前記振動板の後面に接合されるボイスコイルと、
前記ボイスコイルが配置される磁気空隙を有する磁気回路と、
を備え、
前記振動板保持体は、前記ボイスコイルに供給される直流電流に基づいて移動する、
請求項１記載のイヤホン。
【請求項３】
前記振動板保持体を付勢する付勢部、
を備える、
請求項２記載のイヤホン。
【請求項４】
前記付勢部は、前記磁気回路の内部に収納され、
前記付勢部の一端は、前記ボイスコイルに接合される、
請求項３記載のイヤホン。
【請求項５】
前記第１連通孔は、前記ドライバユニットに形成される、
請求項１乃至４のいずれかに記載のイヤホン。
【請求項６】
前記ハウジングの外部の空間と、前記ドライバユニットの後方の空間と、を連通させる第２連通孔、
を備え、
前記ドライバユニットの前方の空間は、前記第１連通孔と、前記第２連通孔と、を介して、前記ハウジングの外部の空間と連通する、
請求項１乃至５のいずれかに記載のイヤホン。
【請求項７】
前記付勢部は、前記第１連通孔を開く方向に前記振動板保持体を付勢し、
前記振動板保持体は、前記ボイスコイルに直流電流が供給されたときに、前記第１連通孔を閉じる、
請求項３記載のイヤホン。
【請求項８】
音声再生機と接続され、
前記ボイスコイルには、前記直流電流と、前記音声再生機からの音声信号に対応する電流と、が重畳して供給される、
請求項７記載のイヤホン。
【請求項９】
前記ボイスコイルに供給される直流電流の供給を制御する切替器を備える、
請求項８記載のイヤホン。
【請求項１０】
前記切替器は、前記音声信号に対応する電流が前記ボイスコイルに供給されるときに、前記直流電流を前記ボイスコイルに供給する、
請求項９記載のイヤホン。
【発明の詳細な説明】
【技術分野】
【０００１】
本発明は、イヤホンに関する。
【背景技術】
【０００２】
イヤホンの型式には、耳掛け式・ヘッドホン式・分離式など様々な型式がある。イヤホンの型式の１つとして、耳栓式がある。
【０００３】
耳栓式のイヤホン（以下「カナル型イヤホン」という。）は、電気信号に応じた音波を発生させるドライバユニットと、ドライバユニットが収納されるハウジングと、ドライバユニットの前方の空間と音波が導かれる外耳道内の空間とを連通させる音導管と、音導管に取り付けられたイヤピースと、を有してなる。カナル型イヤホンの使用者（以下「使用者」という。）は、イヤピースを外耳道内に挿入して使用する。ここで、ドライバユニットの前方とは、ドライバユニットからの音波の進行方向である。
【０００４】
外耳道内に挿入されたイヤピースは、使用者の外耳道の内壁と密着する。その結果、外耳道内の空間は、イヤピースにより密閉される。ここで、外耳道内の空間とは、イヤピースと使用者の外耳道の内壁とが密着したとき、使用者の外耳道の内壁と鼓膜とイヤピースとで形成される空間をいう。ドライバユニットからの音波は、密閉された外耳道内の空間を介して使用者の鼓膜に達する。そのため、カナル型イヤホンは、音質の高い再生を実現する。また、カナル型イヤホンの遮音特性は、他の型式のイヤホンに比べて優れる。
【０００５】
カナル型イヤホンが使用者の耳に装着されるとき（装着時）、カナル型イヤホンは、外耳道内の空気を鼓膜に向かって押し込みながら外耳道内の空間を密閉する。そのため、外耳道内の空間の圧力は、ハウジングの外部の空間の圧力（大気圧）より高くなる。その結果、使用者の鼓膜の内外の空間、すなわち、耳管内の空間と外耳道内の空間とで圧力差が生じて、使用者の鼓膜の可動性は低下する。使用者の鼓膜の内外の空間の圧力差は、耳管により調整されて、時間の経過とともに小さくなる。ただし、耳管内の空間の圧力と外耳道内の空間の圧力とは、ハウジングの外部の空間の圧力より、依然として高い。
【０００６】
前述のとおり、カナル型イヤホンの装着時では、耳管内の空間の圧力と、外耳道の空間の圧力とは、ハウジングの外部の空間の圧力よりも高い。このとき、カナル型イヤホンが使用者の耳から装脱されると（装脱時）、外耳道内の空間はハウジングの外部の空間と連通する。そのため、外耳道内の空間の圧力は、低くなって大気圧と等しくなる。その結果、使用者の鼓膜の内外の空間で圧力差が生じて、使用者の鼓膜の可動性は低下する。
【０００７】
カナル型イヤホンの装脱着が頻繁に発生したとき、耳管による圧力差の調整は装脱着に追いつかない。すなわち、使用者の鼓膜の可動性が低下している状態、つまり、音が聞こえにくい状態が続く。
【０００８】
これまでにも、使用者の鼓膜の可動性の低下を抑制するために、外耳道内の空間とハウジングの外部の空間とを連通させる通気管と、通気管を開閉する開閉弁と、を備えたイヤホンが提案されている（例えば、特許文献１参照）。
【０００９】
特許文献１に記載されたイヤホンの開閉弁は、使用者の指で押し下げられる（以下「開閉弁の操作」という。）ことにより通気管を開く。通気管は、使用者の開閉弁の操作により外耳道内の空間とハウジングの外部の空間とを連通させる。使用者は、開閉弁の操作をしながら、使用者の耳にカナル型イヤホンを装着する。すなわち、カナル型イヤホンは、通気管が開いた状態で、使用者の耳に装着される。その結果、使用者の鼓膜の内外の空間で圧力差が生じない。つまり、使用者の鼓膜の可動性は、カナル型イヤホンの装着時に低下しない。
【先行技術文献】
【特許文献】
【００１０】
【特許文献１】特開２００８−１４７７１０号
【発明の概要】
【発明が解決しようとする課題】
【００１１】
しかしながら、特許文献１に記載されたイヤホンには、ハウジングの外周面に突起部が設けられる。その突起部の内部には、溝が形成される。この溝は、外耳道内の空間とハウジングの外部の空間とを連通させる通気管を構成する。この通気管は、通気管が開いた状態において、外耳道内の空間とハウジングの外部の空間とを連通させる。通気管が開いた状態は、使用者が開閉弁の操作をしている間だけ維持される。換言すれば、通気管が開いた状態の維持には、使用者の開閉弁の操作が必要となる。使用者の開閉弁の操作は、カナル型イヤホンが使用者の耳に装着される毎に必要となる。
【００１２】
このように、特許文献１に記載されたイヤホンはハウジングの外周面に溝を形成するための突起部を設ける必要があるため、イヤホンのハウジングの構造が複雑になる。また、特許文献１に記載されたイヤホンでは、通気管が開いた状態を維持するための使用者の操作負担が大きい。
【００１３】
本発明は、以上のような従来技術の問題点を解消するためになされたもので、簡易な構造と操作により外耳道内の空間とハウジングの外部の空間とを連通させることで、鼓膜の可動性の低下の抑制と、使用者の操作負担を軽減することを目的とする。
【課題を解決するための手段】
【００１４】
本発明にかかるイヤホンは、ドライバユニットと、ドライバユニットを収納するハウジングと、ハウジングの内部の空間のうち、ドライバユニットの前方の空間と、ドライバユニットの後方の空間と、を連通させる第１連通孔と、を有し、第１連通孔は、ドライバユニットが備える振動板を保持する振動板保持体により開閉される、ことを特徴とする。
【発明の効果】
【００１５】
本発明によれば、鼓膜の可動性の低下の抑制と、使用者の操作負担を軽減することができる。
【図面の簡単な説明】
【００１６】
【図１】本発明にかかるイヤホンの実施の形態を示す右側面視断面図である。
【図２】図１のイヤホンが備えるドライバユニットの右側面視断面図である。
【図３】図２のドライバユニットの正面図である。
【図４】図１のイヤホンが備える第１連通孔が閉じた状態を示す右側面視断面図である。
【図５】使用者の耳に装着された図１のイヤホンを簡易的に示す右側方視断面図である。
【図６】図１のイヤホンの動作を示すフローチャートである。
【図７】本発明にかかるイヤホンの別の実施の形態におけるイヤホンの動作を示すフローチャートである。
【発明を実施するための形態】
【００１７】
以下、図面を参照しながら、本発明にかかるイヤホンの実施の形態について説明をする。
【００１８】
●イヤホン（１）●
先ず、本発明にかかるイヤホンの構成について説明する。
【００１９】
●イヤホン（１）の構成
図１は、本発明にかかるイヤホンの実施の形態を示す右側面視断面図である。
イヤホン１００の型式は、耳栓式（カナル型）である。イヤホン１００は、ハウジング１とドライバユニット２と音導管３とイヤピース４とを有してなる。
【００２０】
以下の説明において、イヤホン１００が使用者の耳に装着された状態において、使用者の鼓膜に向く側（紙面左側）を前方という。また、その反対側（紙面右側）を後方という。
【００２１】
ハウジング１は、ドライバユニット２を収納する。ハウジング１は、合成樹脂などを材料とする。ハウジング１は、中空体である。ハウジング１の外壁には、第２連通孔２ｈと、音導管３が挿通される挿通孔１１ｈと、が形成される。
【００２２】
第２連通孔２ｈは、ハウジング１の外部の空間と、ハウジング１の内部の空間であってドライバユニット２の後方の空間と、を連通させる。
【００２３】
図２は、ドライバユニット２の右側面視断面図である。
図３は、図２のドライバユニット２の正面図である。
ドライバユニット２は、例えば、イヤホン１００が接続された音声再生機からの電気信号に応じた音波を発生させる。ドライバユニット２は、ユニットフレーム２１と磁気回路２２と振動板２３と振動板保持体（振動板リング）２４とエッジ２５とボイスコイル２６と付勢部２７とを有してなる。ドライバユニット２は、平面視において円形の盤状である。
【００２４】
ユニットフレーム２１は、磁気回路２２と振動板２３と振動板リング２４とエッジ２５とボイスコイル２６と付勢部２７とを収納する。ユニットフレーム２１は、合成樹脂などを材料とする。ユニットフレーム２１は、円筒状である。ユニットフレーム２１の内径のうち、ユニットフレーム２１の前端側の内径は、ユニットフレーム２１の他の部位の内径よりも大きい。ユニットフレーム２１のうち、内径の小さい部位は、磁気回路２２を支持する回路支持部２１ａである。ユニットフレーム２１のうち、内径の大きい部位は、振動板リング２４を保持するリング保持部２１ｂである。
【００２５】
なお、ユニットフレーム２１は、例えば、ハウジング１の一部として、ハウジング１に一体に形成されてもよい。
【００２６】
回路支持部２１ａは、ユニットフレーム２１内において、磁気回路２２を支持する。回路支持部２１ａの内周面の一部には、ユニットフレーム２１の前後方向に溝２１ａ１が形成される。
【００２７】
リング保持部２１ｂは、ユニットフレーム２１内において、振動板リング２４を保持する。リング保持部２１ｂの内周面の一部には、ユニットフレーム２１の前後方向に溝２１ｂ１が形成される。溝２１ｂ１は、リング保持部２１ｂの周方向に沿って均等の間隔で３箇所に形成される。
【００２８】
なお、溝２１ｂ１の数や配置は、本実施の形態の数に限定されない。すなわち、例えば、複数の溝２１ｂ１が、リング保持部２１ｂの周方向において偏在してもよい。
【００２９】
磁気回路２２は、磁気回路２２内に磁束を発生させる。磁気回路２２は、ヨーク２２ａとマグネット２２ｂとポールピース２２ｃとを備える。ヨーク２２ａは、磁性材を材料とする。ヨーク２２ａは、有底円筒状である。ヨーク２２ａは、開口端をリング保持部２１ｂ側に向けて、ユニットフレーム２１の回路支持部２１ａに嵌合される。マグネット２２ｂは、永久磁石である。マグネット２２ｂは、円柱状である。マグネット２２ｂは、ヨーク２２ａの底部の中央に配置される。ポールピース２２ｃは、磁性材を材料とする。ポールピース２２ｃは、平面視において円形の盤状である。ポールピース２２ｃは、マグネット２２ｂと前後方向に重ねて配置される。すなわち、マグネット２２ｂは、ヨーク２２ａとポールピース２２ｃとの間に配置される。ヨーク２２ａの内周面とポールピース２２ｃの外周面との間には、空隙が形成される。
【００３０】
マグネット２２ｂの磁極は、ポールピース２２ｃ側がＮ極、ヨーク２２ａ側がＳ極である。すなわち、磁気回路２２に生じる磁束は、ヨーク２２ａとポールピース２２ｃとの間の空隙をポールピース２２ｃからヨーク２２ａに横切る方向を向く。つまり、磁気回路２２には、磁束が横切る空隙である磁気空隙が形成される。
【００３１】
回路支持部２１ａの溝２１ａ１は、ヨーク２２ａの外周面に対向する。回路支持部２１ａの溝２１ａ１と、ヨーク２２ａの外周面と、により第１連通孔１ｈが形成される。すなわち、第１連通孔１ｈは、ドライバユニット２に形成される。回路支持部２１ａの前端面とヨーク２２ａの前端面とは、同一平面上に配置される。
【００３２】
振動板２３は、電気信号に応じて振動する。その結果、電気信号に応じた音波が発生する。振動板２３は、合成樹脂などを材料とする。振動板２３は、平面視において円形の板である。振動板２３は、振動板リング２４による第１連通孔１ｈの開閉にかかわらず、振動する。すなわち、第１連通孔１ｈの開閉にかかわらず、電気信号に応じた音波が発生する。振動板リング２４については、後述する。
【００３３】
振動板リング２４は、振動板２３を保持する。振動板リング２４は、合成樹脂などを材料とする。振動板リング２４は、リング状である。振動板リング２４は、リング保持部２１ｂの内側に保持される。振動板リング２４は、前後方向に移動可能である。振動板リング２４の後面は、回路支持部２１ａの前端面とヨーク２２ａの前端面とに対向する。振動板リング２４の外周面は、リング保持部２１ｂの内周面と当接する。リング保持部２１ｂの溝２１ｂ１は、振動板リング２４の外周面と対向する。リング保持部２１ｂの溝２１ｂ１と、振動板リング２４の外周面と、の間には隙間Ｇ１が形成される。
【００３４】
振動板リング２４は、ボイスコイル２６に供給される直流バイアス電流（以下「直流電流」という。）に基づいて、第１連通孔１ｈを開閉する。つまり、振動板リング２４は、第１連通孔１ｈを開閉させる開閉弁として機能する。振動板リング２４の動作については、後述する。
【００３５】
エッジ２５は、振動板２３と振動板リング２４とを連結する。エッジ２５は、弾性体などを材料とする。エッジ２５は、リング状の膜である。
【００３６】
ボイスコイル２６は、ボイスコイル２６に供給される電流と、磁気回路２２により発生した磁束と、から生じる電磁力に応じて、前後方向に移動する。ボイスコイル２６は、１本の導線を螺旋状に巻いたコイルである。ボイスコイル２６は、リング状である。ボイスコイル２６は、磁気回路２２に形成される磁気空隙に挿通される。ボイスコイル２６の一端（前端）は、振動板２３の後面に接合される。そのため、ボイスコイル２６が移動すると、振動板２３も移動する。すなわち、振動板２３とボイスコイル２６とは、一体に移動する。ボイスコイル２６の他端（後端）は、後述する付勢部２７に接合される。
【００３７】
付勢部２７は、振動板２３を前方、すなわち、第１連通孔１ｈが開く方向に付勢する。付勢部２７は、例えば、板バネである。付勢部２７は、ヨーク２２ａに収納される。すなわち、付勢部２７は、磁気回路２２に収納される。付勢部２７の前端は、ボイスコイル２６の後端に接合される。付勢部２７の後端は、ヨーク２２ａの内面に接合される。
【００３８】
振動板２３は、ボイスコイル２６を介して、付勢部２７の付勢力により前方に付勢される。振動板２３が付勢されると、振動板リング２４も前方に付勢される。このとき、振動板リング２４の後面と、回路支持部２１ａの前端面と、ヨーク２２ａの前端面と、の間には隙間Ｇ２が形成される。
【００３９】
図１に戻る。
ドライバユニット２のユニットフレーム２１は、ハウジング１に収納される。ハウジング１の内部の空間は、ハウジング１に収納されたドライバユニット２によって、ドライバユニット２の前方の空間（以下「空間Ｓ１」という。）と、ドライバユニット２の後方の空間（以下「空間Ｓ２」という。）とに区画される。
【００４０】
ここで、ハウジング１の外部の空間と空間Ｓ２とは、第２連通孔２ｈを介して連通する。空間Ｓ１と空間Ｓ２とは、隙間Ｇ１と隙間Ｇ２と第１連通孔１ｈとを介して、で連通する。すなわち、空間Ｓ１は、隙間Ｇ１と隙間Ｇ２と第１連通孔１ｈと空間Ｓ２とを介して、ハウジング１の外部の空間と連通する。
【００４１】
振動板リング２４が第１連通孔１ｈの前側の開口端と接して、第１連通孔１ｈが閉じた状態においては、空間Ｓ１とハウジング１の外部の空間とは連通しない。一方、振動板リング２４が第１連通孔１ｈの前側の開口端から離れて、第１連通孔１ｈが開いた状態においては、空間Ｓ１とハウジング１の外部の空間とは連通する。
【００４２】
ボイスコイル２６には、イヤホン１００の外部から直流電流が供給される。このとき、振動板リング２４は、ボイスコイル２６に生じる電磁力に基づいて後方に移動する。その結果、振動板リング２４は、第１連通孔１ｈの前側の開口端と接して、第１連通孔１ｈは閉じる。すなわち、ボイスコイル２６に外部から直流電流が供給される間、空間Ｓ１とハウジング１の外部の空間とは連通しない。
【００４３】
図４は、第１連通孔１ｈが閉じた状態を示す右側面視断面図である。
同図は、振動板リング２４が第１連通孔１ｈを閉じていて、空間Ｓ１とハウジング１の外部の空間とが連通していないことを示す。
【００４４】
図１に戻る。
ボイスコイル２６への直流電流の供給が停止されると、前述の電磁力が消失して、振動板リング２４は、付勢部２７の付勢力により前方に移動する。その結果、振動板リング２４は、第１連通孔１ｈの前側の開口端から離れて、第１連通孔１ｈは開く。すなわち、ボイスコイル２６への直流電流の供給が停止されると、空間Ｓ１とハウジング１の外部の空間とは連通する。
【００４５】
音導管３は、ドライバユニット２からの音波を、イヤホン１００の使用者（以下「使用者」という。）の外耳道に導く。音導管３は、合成樹脂などを材料とする。音導管３は、円筒状である。音導管３は、ハウジング１に突設される。突設された音導管３の後端側は、ハウジング１の挿通孔１１ｈに挿通される。音導管３の内部の空間は、空間Ｓ１と連通する。
【００４６】
イヤピース４は、弾性体を材料とした傘状である。イヤピース４は、音導管３の前端に取り付けられる。イヤピース４は、音導管３とともに使用者の外耳道に挿入される。使用者の外耳道に挿入されたイヤピース４は、使用者の外耳道の内壁に密着する。
【００４７】
●イヤホン（１）の動作
次に、イヤホン１００の動作について説明する。
【００４８】
図５は、使用者の耳に装着されたイヤホン１００を簡易的に示す右側方視断面図である。
図６は、イヤホン１００の動作を示すフローチャートである。
【００４９】
イヤホン１００は、使用されていないとき、つまり、使用者の耳に装着されていないとき、第１連通孔１ｈは開いた状態、すなわち、ボイスコイル２６に直流電流が供給されていない状態である。以下、第１連通孔１ｈが開いた状態のイヤホン１００が使用者の耳に装着される場合を例に説明する。
【００５０】
イヤホン１００が使用者の耳に装着されると、イヤピース４は、使用者の外耳道の内壁ＥＣに密着する。
【００５１】
このとき、ハウジング１の外部の空間のうち、外耳道内の空間（以下「空間Ｓ３」という。）と、空間Ｓ３を除くその他の空間（以下「空間Ｓ４」という。）とは、連通する。すなわち、空間Ｓ３は、音導管３の内部の空間と空間Ｓ１と隙間Ｇ１と隙間Ｇ２と第２連通孔２ｈと空間Ｓ２と第２連通孔２ｈとを介して、空間Ｓ４と連通する。ここで、外耳道内の空間Ｓ３は、外耳道の内壁ＥＣと使用者の鼓膜Ｅとイヤピース４とにより区画された空間であって、音導管３を介して空間Ｓ１と連通する空間をいう。
【００５２】
前述のとおり、イヤホン１００は、第１連通孔１ｈが開いた状態で、使用者の耳に装着されるため、空間Ｓ３は密閉されない。すなわち、空間Ｓ３の圧力は、空間Ｓ４の圧力（大気圧）と同じである。
【００５３】
直流電流は、例えば、音声再生機の電源が入れられたとき、ボイスコイル２６に供給される（Ｓ１１のＹｅｓ）。ボイスコイル２６に供給される直流電流の方向は、第１連通孔１ｈ側（紙面上側）のボイスコイル２６において、紙面の手前側から向こう側である。
【００５４】
このとき、フレミングの左手の法則により、ボイスコイル２６には、後方に向く電磁力が生じる。そのため、ボイスコイル２６は、付勢部２７の付勢力に抗して後方に移動する。振動板２３と振動板リング２４とは、ボイスコイル２６の移動に伴い、振動板リング２４が第１連通孔１ｈの前側の開口端と接するまで移動する。つまり、ボイスコイル２６に直流電流が供給されると、振動板リング２４は、第１連通孔１ｈを閉じる（Ｓ１２）。その結果、空間Ｓ１は、空間Ｓ４とは連通しない。このとき、空間Ｓ３は密閉される。第１連通孔１ｈが閉じた状態は、ボイスコイル２６への直流電流の供給が停止されるまで維持される。
【００５５】
第１連通孔１ｈが閉じた状態において、例えば、音声再生機からの音声信号がボイスコイル２６に入力されると、ボイスコイル２６には、交流電流である音声信号に対応する電流が直流電流に重畳して供給される。ボイスコイル２６に供給される交流電流の方向は、ボイスコイル２６に供給される直流電流の方向と同じ方向、もしくは、その反対の方向である。
【００５６】
このとき、フレミングの左手の法則により、ボイスコイル２６には、前方や後方に電磁力が生じる。ボイスコイル２６は、振動板２３を前後に移動、すなわち、振動させる。振動板２３が振動することで、音声信号に応じた音波が発生する。この音波は、空間Ｓ３が密閉状態で、使用者の鼓膜Ｅに達する。ここで、ボイスコイル２６（振動板２３）が振動しても、振動板リング２４は、第１連通孔１ｈの前端の開口端から離れない。
【００５７】
第１連通孔１ｈが閉じた状態において、ボイスコイル２６への直流電流の供給が停止されると（Ｓ１１のＮｏ）、ボイスコイル２６を後方へと移動させる電磁力は消失する。そのため、ボイスコイル２６は、付勢部２７の付勢力により、前方に移動する。振動板リング２４は、ボイスコイル２６の移動に伴い、第１連通孔１ｈの前方の開口端から離れる。その結果、第１連通孔１ｈは開く。つまり、ボイスコイル２６への直流電流の供給が停止されると、振動板リング２４は、第１連通孔１ｈを開く（Ｓ１３）。その結果、空間Ｓ１は、空間Ｓ４と連通する。第１連通孔１ｈが開いた状態は、ボイスコイル２６に直流電流が供給されるまで維持される。
【００５８】
第１連通孔１ｈが開いた状態では、空間Ｓ４からの音波は、空間Ｓ２と空間Ｓ１と空間Ｓ３とを介して、使用者の鼓膜Ｅに到達する。その結果、使用者は、使用者の耳にイヤホン１００が装着された状態で、ハウジング１の外部の音（例えば、会話音）を聞くことができる。すなわち、使用者は、ハウジング１の外部の音を聞くためにイヤホン１００を耳から装脱しなくてもよい。
【００５９】
●まとめ
以上説明した実施の形態によれば、ボイスコイル２６に対して直流電流を供給することにより生じる電磁力と、付勢部２７の付勢力と、を付与することで、第１連通孔１ｈを開閉することができる。第１連通孔１ｈが開くと、空間Ｓ３は、空間Ｓ４と連通する。一方、第１連通孔１ｈが閉じると、空間Ｓ３は空間Ｓ４と連通しない。第１連通孔１ｈが開いた状態は、付勢部２７の付勢力で維持される。一方、第１連通孔１ｈが閉じた状態は、ボイスコイル２６に供給される直流電流によって生じる電磁力で維持される。このように、イヤホン１００によれば、鼓膜の可動性の低下の抑制と、使用者の操作負担を軽減することができる。
【００６０】
●イヤホン（２）●
次に本発明にかかるイヤホンの別の実施の形態について、先に説明した実施の形態と異なる部分を中心に説明する。本実施の形態におけるイヤホンは、ボイスコイル２６に供給される交流電流の検出に応じて第１連通孔１ｈの開閉が行われる点において、先に説明した実施の形態におけるイヤホンとは異なる。
【００６１】
●イヤホン（２）の構成
図７は、本発明にかかるイヤホンの別の実施の形態におけるイヤホンの動作を示すフローチャートである。
【００６２】
本実施の形態におけるイヤホンは、検出手段と切替器とを備える。検出手段は、ボイスコイル２６に供給される交流電流を検出する。切替器は、検出手段による交流電流の検出状態に応じて、ボイスコイル２６への直流電流の供給を制御する。すなわち、切替器は、交流電流が検出されると、イヤホンをボイスコイル２６に直流電流が供給される状態に制御する。また、切替器は、交流電流が検出されないと、イヤホンをボイスコイル２６に直流電流が供給されない状態に制御する。直流電流は、例えば、音声再生機から供給される。
【００６３】
●イヤホン（２）の動作
本実施の形態におけるイヤホンは、先に説明した実施の形態におけるイヤホンと同様に、使用されていないとき、第１連通孔１ｈが開いた状態である。以下、第１連通孔１ｈが開いた状態のイヤホンが使用者の耳に装着される場合を例に説明する。
【００６４】
第１連通孔１ｈが開いた状態において、例えば、音声再生機からの音声信号がボイスコイル２６に入力されると、ボイスコイル２６に交流電流が供給される。このとき、検出手段は、交流電流を検出する（Ｓ２１のＹｅｓ）。切替器は、検出手段が交流電流を検出すると、イヤホンをボイスコイル２６に直流電流が供給される状態に制御する。すなわち、ボイスコイル２６に交流電流が供給されると、ボイスコイル２６に直流電流が供給される（Ｓ２２）。ボイスコイル２６に直流電流が供給されると、振動板リング２４は、第１連通孔１ｈを閉じる（Ｓ２３）。第１連通孔１ｈが閉じた状態は、検出手段が交流電流を検出している間、維持される。
【００６５】
第１連通孔１ｈが閉じた状態において、例えば、音声再生機が音声信号の出力を停止すると、ボイスコイル２６への交流電流の供給が停止される。切替器は、検出手段が交流電流を検出しないと（Ｓ２１のＮｏ）、イヤホンをボイスコイル２６に直流電流が供給されない状態に制御する（Ｓ２４）。ボイスコイル２６への直流電流の供給が停止されると、振動板リング２４は、第１連通孔１ｈを開く（Ｓ２５）。第１連通孔１ｈが開いた状態は、検出手段が交流電流を検出しない間、維持される。
【００６６】
●まとめ
以上説明した実施の形態によれば、ボイスコイル２６に供給される交流電流に応じてボイスコイル２６への直流電流の供給を制御することで、第１連通孔１ｈを開閉することができる。そのため、ボイスコイル２６に直流電流を供給するための操作が無くても、振動板リング２４は、第１連通孔１ｈを開閉する。また、第１連通孔１ｈの開閉状態は、交流電流の供給状態に応じて維持される。
【符号の説明】
【００６７】
１        ハウジング
１ｈ      第１連通孔
１１ｈ    挿通孔
２        ドライバユニット
２ｈ      第２連通孔
２１      ユニットフレーム
２１ａ    回路支持部
２１ｂ    リング保持部
２１ａ１  溝
２１ｂ１  溝
２２      磁気回路
２２ａ    ヨーク
２２ｂ    マグネット
２２ｃ    ポールピース
２３      振動板
２４      振動板リング（振動板保持体）
２５      エッジ
２６      ボイスコイル
２７      付勢部
３        音導管
４        イヤピース
１００    イヤホン
Ｅ        鼓膜
ＥＣ      外耳道の内壁
Ｇ１      隙間
Ｇ２      隙間
Ｓ１      ドライバユニットの前方の空間
Ｓ２      ドライバユニットの後方の空間
Ｓ３      外耳道内の空間
Ｓ４      ハウジングの外部の空間
【図１】
0006563327.tif 000002
【図２】
0006563327.tif 000003
【図３】
0006563327.tif 000004
【図４】
0006563327.tif 000005
【図５】
0006563327.tif 000006
【図６】
0006563327.tif 000007
【図７】
0006563327.tif 000008